(57)【特許請求の範囲】
【請求項１】
半導体装置を固定するチャックステージと、
絶縁基板と、
前記絶縁基板に固定された複数のプローブと、
前記複数のプローブの温度を調整する温度調整部と、
前記複数のプローブを介して前記半導体装置に電流を流して前記半導体装置の電気特性を評価する評価・制御部と、
検査板と、前記検査板の上面又は下面に設けられたサーモクロミック材料と、前記複数のプローブの先端部が前記検査板の前記上面に押し付けられた状態で前記サーモクロミック材料の色変化画像を撮影する撮影部と、前記色変化画像を画像処理して前記複数のプローブの前記先端部の面内位置及び温度を求める画像処理部とを有するプローブ位置・温度検査装置とを備えることを特徴とする半導体装置の評価装置。
【請求項２】
前記サーモクロミック材料は前記検査板の前記下面に設けられていることを特徴とする請求項１に記載の半導体装置の評価装置。
【請求項３】
前記サーモクロミック材料は前記検査板の前記上面に設けられ、
前記撮影部は前記絶縁基板に設けられていることを特徴とする請求項１に記載の半導体装置の評価装置。
【請求項４】
前記サーモクロミック材料に光を照射する照明部を更に備えることを特徴とする請求項１〜３の何れか１項に記載の半導体装置の評価装置。
【請求項５】
前記サーモクロミック材料の撮影面に設けられた反射防止フィルムを更に備えることを特徴とする請求項１〜４の何れか１項に記載の半導体装置の評価装置。
【請求項６】
前記サーモクロミック材料の撮影面に設けられた反射防止膜を更に備えることを特徴とする請求項１〜４の何れか１項に記載の半導体装置の評価装置。
【請求項７】
前記検査板の前記上面に設けられ、前記複数のプローブの前記先端部よりも低い硬度を持つ保護部材を更に備えることを特徴とする請求項１〜６の何れか１項に記載の半導体装置の評価装置。
【請求項８】
前記検査板を冷却する冷却器を更に備えることを特徴とする請求項１〜７の何れか１項に記載の半導体装置の評価装置。
【請求項９】
前記冷却器は前記検査板に設けられたペルチェ素子を有することを特徴とする請求項８に記載の半導体装置の評価装置。
【請求項１０】
前記検査板を加熱する加熱器を更に備えることを特徴とする請求項１〜７の何れか１項に記載の半導体装置の評価装置。
【請求項１１】
前記検査板は金属材料で構成されていることを特徴とする請求項１〜１０の何れか１項に記載の半導体装置の評価装置。
【請求項１２】
前記検査板はセラミクス材料で構成されていることを特徴とする請求項１〜１０の何れか１項に記載の半導体装置の評価装置。
【請求項１３】
前記検査板は熱的異方性材料で構成されていることを特徴とする請求項１〜１０の何れか１項に記載の半導体装置の評価装置。
【請求項１４】
絶縁基板に固定された複数のプローブを温度調整部により加熱する工程と、
加熱した前記複数のプローブの先端部を検査板の上面に押し付けて撮影部により前記検査板の前記上面又は下面に設けられたサーモクロミック材料の色変化画像を取得する工程と、
前記色変化画像を画像処理部により画像処理して前記複数のプローブの前記先端部の面内位置及び温度を求める工程と、
前記複数のプローブの前記先端部の面内位置又は温度に異常が無い場合、チャックステージに固定した半導体装置の電極に前記複数のプローブの前記先端部を接触させ、評価・制御部により前記複数のプローブを介して前記半導体装置に電流を流して前記半導体装置の電気特性を評価する工程とを備えることを特徴とする半導体装置の評価方法。
【請求項１５】
加熱した前記複数のプローブの先端部を前記検査板から離間させた後、冷却器により前記検査板を冷却する工程を更に備えることを特徴とする請求項１４に記載の半導体装置の評価方法。
【発明の詳細な説明】
【技術分野】
【０００１】
本発明は、複数のプローブの先端部の面内位置及び温度を容易に精度よく検査することができる半導体装置の評価装置及び評価方法に関する。
【背景技術】
【０００２】
半導体ウエハ又は半導体ウエハから個片化したチップの状態で、被測定物である半導体装置の電気的特性が評価される。この際、真空吸着等により被測定物の設置面を、チャックステージの表面に接触して固定した後、被測定物の非設置面の一部に設けた電極に電気的な入出力を行うためのプローブを接触させる。装置の縦方向（面外方向）に大きな電流を流す縦型構造の半導体装置の検査においては、チャックステージが電極となる。そして、以前からプローブの多ピン化が実施され、大電流及び高電圧印加の要求に応えている。
【０００３】
半導体装置の電気的特性を評価する際、半導体装置の表面に設けた電極に複数のプローブを精度よく接触させることが重要である。電極と接触するプローブの先端部に位置ずれが生じた場合、半導体装置に所望の電流又は電圧が印加されないことがある。それだけでなく、電極以外へのプローブの接触により、半導体装置が破壊に至る場合もあり得る。
【０００４】
プローブの先端部の位置ずれ抑制にはプローブの長さが短いことが望ましい。しかし、放電現象を抑制するためにプローブの長さを延長し、プローブカードの本体部分と半導体装置の距離を離す傾向にある。このため、プローブの先端部の位置ずれが生じやすくなっている。
【０００５】
このような状況の下、プローブ位置測定方法としては、非接触式の手法が知られている。例えば、プローブに対向して設置した、カメラによる画像処理計測がある。しかし、プローブの先端部の位置計測に際して、背景や距離、個々の焦点合わせ、付着物の影響等、複数の外乱要素があるため、精度のよい測定は困難である。
【０００６】
また、近年、半導体装置の使用環境の多様化から、低温から高温まで幅広い温度範囲における電気的特性の評価が必須となっている。半導体装置側にあるチャックステージを低温又は高温に設定した場合、プローブ又はプローブカード側との間に温度差があれば、プローブカード側の熱膨張又は熱収縮により半導体装置と接するプローブの先端部に位置ずれが生じるという問題があった。さらに、温度差があるまま半導体装置にプローブが接すると、半導体装置の温度が設定した温度から変化してしまい、評価の精度が低下するという問題があった。
【０００７】
プローブ位置の検査方法として、変形体にプローブを接触させた後にプローブを離間してプローブ痕の位置や大きさを観察すること（例えば、特許文献１参照）及び針跡転写部材の針跡消去（例えば、特許文献２参照）が開示されている。また、透明ガラス平板に測定針を押し当てた状態での検査も開示されている（例えば、特許文献３参照）。
【０００８】
半導体装置の温度可変時の評価方法として、抵抗体を配設した加熱シートをプローブカードに設置し、プローブ基板を加熱することが開示されている（例えば、特許文献４参照）。また、チャックの退避時にハロゲンランプを対向させ照射してプローブ基板を加熱することも開示されている（例えば、特許文献５参照）。プローブカードを構成するプリント基板上に設けたセラミックスヒータによりプローブ基板を加熱することも開示されている（例えば、特許文献６参照）。
【先行技術文献】
【特許文献】
【０００９】
【特許文献１】特開２００１−１８９３５３号公報
【特許文献２】特開２００９−１９８４０７号公報
【特許文献３】特開平０５−１５７７９０号公報
【特許文献４】特開２０１２−４７５０３号公報
【特許文献５】特開２０１２−２３１２０号公報
【特許文献６】特開２００２−１９６０１７号公報
【発明の概要】
【発明が解決しようとする課題】
【００１０】
しかし、特許文献１のプローブ検査は、プローブ検査の度に変形体の再生処理が必要である。また、転写後の観察となるため、検査に時間を要する。また、従来の評価装置に容易に付加できるものでもなかった。特許文献２の針跡転写部材においても、短時間で回復とあるが、再生処理が必要であることには変わりない。また、転写後の観察となるため、検査に時間を要する。特許文献３の技術では、照明や背景等の外乱により検査精度が悪化する。
【００１１】
また、特許文献４〜６の何れにも半導体装置と接するプローブの先端部の温度検出については記載されていない。各装置に設置された温度センサによる計測はプローブ基板の温度を対象としているため、プローブと半導体装置の温度差については不明であり、温度差に起因した評価精度の低下に問題があった。
【００１２】
また、半導体装置と接するプローブの先端部の面内位置については、プローブ基板の膨張、収縮を問題としているのみであった。プローブをプローブ基板に設置する際のプローブの初期位置不良や温度可変時の位置ずれについては、半導体装置の評価の直前に確認できなかった。
【００１３】
本発明は、上述のような課題を解決するためになされたもので、その目的は複数のプローブの先端部の面内位置及び温度を容易に精度よく検査することができる半導体装置の評価装置及び評価方法を得るものである。
【課題を解決するための手段】
【００１４】
本発明に係る半導体装置の評価装置は、半導体装置を固定するチャックステージと、絶縁基板と、前記絶縁基板に固定された複数のプローブと、前記複数のプローブの温度を調整する温度調整部と、前記複数のプローブを介して前記半導体装置に電流を流して前記半導体装置の電気特性を評価する評価・制御部と、検査板と、前記検査板の上面又は下面に設けられたサーモクロミック材料と、前記複数のプローブの先端部が前記検査板の前記上面に押し付けられた状態で前記サーモクロミック材料の色変化画像を撮影する撮影部と、前記色変化画像を画像処理して前記複数のプローブの前記先端部の面内位置及び温度を求める画像処理部とを有するプローブ位置・温度検査装置とを備えることを特徴とする。
【発明の効果】
【００１５】
本発明では、複数のプローブの先端部が検査板の上面に押し付けられた状態でサーモクロミック材料の色変化画像を撮影し、この色変化画像を画像処理して複数のプローブの先端部の面内位置及び温度を求める。これにより、複数のプローブの先端部の面内位置及び温度を容易に精度よく検査することができる。
【図面の簡単な説明】
【００１６】
【図１】本発明の実施の形態１に係る半導体装置の評価装置を示す概略図である。
【図２】本発明の実施の形態１に係るプローブ位置・温度検査装置のプローブ接触時の構成概略図である。
【図３】プローブの動作を説明するための側面図である。
【図４】正規の位置にある１６本のプローブを押し付けた場合の色変化画像を示す図である。
【図５】位置に異常のあるプローブを押し付けた場合の色変化画像を示す図である。
【図６】本発明の実施の形態２に係る半導体装置の評価装置を示す概略図である。
【図７】本発明の実施の形態２に係る検査基板を示す下面図である。
【図８】本発明の実施の形態２に係る検査基板の変形例を示す下面図である。
【発明を実施するための形態】
【００１７】
本発明の実施の形態に係る半導体装置の評価装置及び評価方法について図面を参照して説明する。同じ又は対応する構成要素には同じ符号を付し、説明の繰り返しを省略する場合がある。
【００１８】
実施の形態１．
図１は、本発明の実施の形態１に係る半導体装置の評価装置を示す概略図である。チャックステージ１が評価対象である半導体装置２を固定する。チャックステージ１は、半導体装置２の設置面（裏面）と接触して半導体装置２を固定する台座である。半導体装置２を固定する手段は例えば真空吸着であるが、これに限るものではなく静電吸着等でもよい。
【００１９】
半導体装置２は、複数の半導体チップが形成された半導体ウエハ又は半導体チップそのものなどであり、ここでは装置の縦方向（面外方向）に大きな電流を流す縦型構造の半導体装置である。ただし、これに限るものではなく、半導体装置２は、半導体装置の一面において入出力を行う横型構造の半導体装置でもよい。
【００２０】
複数のプローブ３及び温度調整部４が絶縁基板５に固定されている。複数のプローブ３及び温度調整部４は、絶縁基板５上に設けられた金属板等の配線（不図示）により接続部６に接続されている。複数のプローブ３、温度調整部４、絶縁基板５、接続部６、及び配線（不図示）によりプローブ基体部７が構成される。プローブ基体部７は、移動アーム８により任意の方向へ移動可能である。ここでは、一つの移動アーム８でプローブ基体部７を保持する構成としたが、これに限るものではなく、複数の移動アームで安定的に保持してもよい。また、プローブ基体部７を移動させるのではなく、チャックステージ１及び半導体装置２側を移動させてもよい。
【００２１】
縦型構造の半導体装置２の評価の際、複数のプローブ３が半導体装置２の表面に設けられた表面電極に電気的に接続され、チャックステージ１が半導体装置２の裏面に設けられた裏面電極に電気的に接続される。
【００２２】
温度調整部４が複数のプローブ３の温度を調整する。温度調整部４は、例えば特開２０１３−２２９４９６号公報に開示されているように、プローブ３又はプローブ３を設置するソケットに巻回した電熱線と、その制御部とを有する。ただし、これに限るものではなく温度調整部４は他の構成でもよい。
【００２３】
絶縁基板５の接続部６は、信号線９を介して評価・制御部１０に接続されている。チャックステージ１の表面は、チャックステージ１の側面に設けられた接続部１１及び信号線１２を介して評価・制御部１０に接続されている。評価・制御部１０は複数のプローブ３を介して半導体装置２に電流を流して半導体装置２の電気特性を評価する。
【００２４】
なお、評価用のプローブ３は大電流（例えば５Ａ以上）を印加することを想定して複数個設置されている。各プローブ３に加わる電流密度が略一致するように、絶縁基板５の接続部６とチャックステージ１の接続部１１の距離が、どのプローブ３を介しても略一致することが望ましい。従って、接続部６と接続部１１はプローブ３を介して互いに対向する位置に配置されていることが望ましい。
【００２５】
図２は、本発明の実施の形態１に係るプローブ位置・温度検査装置のプローブ接触時の構成概略図である。なお、複数のプローブ３が固定される絶縁基板５等は省略した。
【００２６】
プローブ位置・温度検査装置１３は、主として、検査板１４と、検査板１４の下面に設けられたサーモクロミック材料１５と、撮影部１６と、それらを支持する基体部１７とを有する。
【００２７】
検査板１４は熱伝導性を有する材料からなる。また、検査の度にプローブ３を繰り返し押し付けるので、破損回避のために強度を有する材料であることが必要である。例えば、検査板１４は数ｍｍ程度の厚みを有した金属材料の板で構成されている。
【００２８】
サーモクロミック材料１５は、加熱又は冷却による温度変化に応じて色が変化する性質を示す材料である。このような性質を示す色素をサーモクロミック色素と呼び、無機系のサーモクロミック色素、ビアントロン類、スピロオキサジン類、サリチルデンアニリン類などがあるが、これらに限るものではない。サーモクロミック材料１５の形態は種々存在しており、例えば、シール状のものを検査板１４に貼り付けてもよいし、スプレー状のものを検査板１４に吹き付けて塗布してもよい。
【００２９】
撮影部１６は、固定アーム１８を介して基体部１７に固定され、信号線１９を介して画像処理部２０に接続されている。プローブ３の先端部が押し付けられる検査板１４の上面に保護部材２１が設けられている。保護部材２１はプローブ３の先端部よりも低い硬度を持つ。保護部材２１は、柔軟性を有する交換が容易なシート材が好ましく、例えばＰＶＣシートであるが、これに限るものではない。
【００３０】
撮影部１６は、サーモクロミック材料１５に対向して配置され、複数のプローブ３の先端部が検査板１４の上面に押し付けられた状態でサーモクロミック材料１５の色変化画像を撮影するカメラであり、例えばＣＣＤカメラである。ここで、加熱された複数のプローブ３の先端部が検査板１４の上面に押し付けられると、プローブ３の先端部の熱に起因してサーモクロミック材料１５に色変化が生じる。
【００３１】
画像処理部２０は、撮影された色変化画像を画像処理（画像認識）して複数のプローブ３の先端部の面内位置及び温度を求める。検査板１４とサーモクロミック材料１５を冷却する冷却器として、検査板１４とサーモクロミック材料１５に向けて送風する送風機２２が基体部１７の壁面に設けられている。
【００３２】
図３は、プローブの動作を説明するための側面図である。プローブ３は、半導体装置２の表面電極と機械的かつ電気的に接触する先端部３ａと、絶縁基板５に固定される基台であるバレル部３ｂと、内部に組み込まれたスプリング等のばね部材を介して接触時に摺動可能な押し込み部３ｃを含むプランジャ部３ｄと、プランジャ部３ｄと電気的に接続されて外部への出力端となる電気的接続部３ｅとを有する。プローブ３は導電性を有する材料、例えば銅、タングステン、レニウムタングステンといった金属材料により作製される。ただし、これらに限るものではなく、特に先端部３ａには導電性向上や耐久性向上等の観点から、別の部材、例えば金、パラジウム、タンタル、プラチナ等を被覆してもよい。
【００３３】
図３（ａ）の初期状態からプローブ３を検査板１４の上面に設けた保護部材２１に向けてＺ軸下方に下降させると、まず図３（ｂ）に示すように保護部材２１と先端部３ａが接触する。さらに下降させると、図３（ｃ）に示すように押し込み部３ｃがバレル部３ｂ内にばね部材を介して押し込まれ、検査板１４の上面に設けた保護部材２１との接触を確実なものにする。
【００３４】
ここでは、プローブ３はＺ軸方向に摺動性を備えたバネ部を内蔵するが、これに限るものではなくバネ部を外部に備えたものでもよい。また、放電抑制の観点からスプリング式としているが、これに限るものではなくカンチレバー式、積層プローブ、又はワイヤープローブ等でもよい。
【００３５】
図４は、正規の位置にある１６本のプローブを押し付けた場合の色変化画像を示す図である。加熱により高温となったプローブ３の先端部３ａが検査板１４に押し付けられると、その箇所のみ温度が上昇するため、サーモクロミック材料１５の温度分布に差が生じる。このためプローブ３が押し付けられた部分が色変化してプローブ熱影像２３として撮影される。図５は、位置に異常のあるプローブを押し付けた場合の色変化画像を示す図である。図５の左下のプローブ位置に不具合が生じている。プローブ位置の不具合が検出された場合、評価・制御部１０に画像処理部２０からアラームが送信され、その後の評価処理が一時中断となり、プローブ３の点検を実施する。
【００３６】
続いて、本実施の形態に係る半導体装置の評価装置の動作手順を説明する。まず、半導体装置２の設置面がチャックステージ１に接触するようにして半導体装置２をチャックステージ１に固定する。次に、チャックステージ１に設けられたヒータを用いて半導体装置２を評価温度に昇温する。複数のプローブ３も温度調整部４により加熱して評価温度に昇温する。次に、加熱した複数のプローブ３を検査板１４上に移動させ、評価時と同様の荷重により検査板１４の上面に押し付ける。この状態でサーモクロミック材料１５の色変化画像を撮影部１６により撮影する。次に、画像処理部２０により色変化画像を画像処理して複数のプローブ３の先端部の面内位置及び温度を求める。こうして半導体装置２の電気的な評価の前に複数のプローブ３の先端部の位置及び温度の検査を実施する。
【００３７】
複数のプローブ３の先端部の面内位置又は温度に異常が有る場合、電気的特性の評価には移行せず、評価処理を中断し、プローブ３の点検を行う。異常が無い場合、複数のプローブ３を半導体装置２上に移動させ、半導体装置２の電極に複数のプローブ３の先端部を接触させ、評価・制御部１０により複数のプローブ３を介して半導体装置２に電流を流して半導体装置２の電気特性を評価する。
【００３８】
プローブ位置及び温度を検査し、加熱した複数のプローブ３の先端部を検査板１４から離間させた後、送風機２２による送風により検査板１４を冷却する。なお、プローブ位置及び温度の検査は、評価する半導体装置毎、又は、取り決めた一定の頻度、例えばプローブ３の交換時に実施する。
【００３９】
以上説明したように、本実施の形態では、複数のプローブ３の先端部が検査板１４の上面に押し付けられた状態でサーモクロミック材料１５の画像を撮影し、その画像を画像処理して複数のプローブの先端部の面内位置及び温度を求める。ここで、半導体装置２の評価は、半導体装置２の表面に設けられた表面電極に複数のプローブ３を押し付けられた状態で行われる。従って、複数のプローブ３の先端部が検査板１４の上面に押し付けられた状態でプローブ位置・温度の検査を行うことで、半導体装置２の電気特性の評価時に近似した状態でプローブ位置・温度の検査を行うことができるため、半導体装置２の評価における複数のプローブ３の先端部の位置を把握することができる。また、複数のプローブ３の先端部の高さバラつきは不問となる。また、サーモクロミック材料１５の色変化を利用するため、直接プローブを撮影しての検出と比較して、背景等の外乱要素を効率よく排除でき、検査精度の向上が容易となる。プローブ痕を利用しないため、変形体や針跡転写部材を必要とせず、外乱要素を抑制して検査することができる。また、半導体装置２に直接接触するプローブ３の先端部の温度についても同時に検査することができる。この結果、複数のプローブ３の先端部の面内位置及び温度を容易に精度よく検査することができる。さらに、検査の後に行う半導体装置の評価の精度も向上する。また、プローブ位置・温度検査装置１３は、単体でも用いることができるが、従来の評価装置に付加することは容易であるため、従来の半導体装置の評価装置をそのまま利用することができる。また、撮影部１６として通常のＣＣＤカメラ等を使用でき、安価に構成可能である。
【００４０】
また、サーモクロミック材料１５が検査板１４の下面に設けられている。これにより、複数のプローブ３の先端部が表面に押し付けられた状態をリアルタイムで検査できるため、高精度な検査が可能である。
【００４１】
また、昇温したプローブ３を接触させた検査板１４はプローブ３を離間させた後もすぐには常温に戻らない。そのまま次の検査を行うと温度履歴による誤差が生じうるため、検査精度が悪化する。そこで、検査を行い、加熱したプローブ３を離間させた後、送風機２２により検査板１４を強制的に冷却する。これにより、次の検査が前の検査の影響を受けることなく、精度を維持することができる。また、検査板１４を予め冷却しておくことで、プローブ３を加熱しない常温測定においても、プローブ位置の検査が可能である。なお、これに限るものではなく、冷却器として、放熱フィンを備えたアルミニウム製の部材（ヒートシンク）を検査板１４に設けてもよい。該部材は、常時設置でなく、プローブ３を離間させた後にのみ、接触させる構成でもよい。送風機２２及び放熱フィンは設置が容易で低コストである。
【００４２】
また、保護部材２１により、検査の度にプローブ３の先端部が押し付けられる検査板１４の表面を保護し、かつプローブ３の先端部も保護することができる。保護部材２１に破損が生じた場合は保護部材２１のみを交換すればよく、検査板１４を交換する必要は無い。
【００４３】
また、検査板１４は高強度な金属材料で構成されているため、プローブ３を繰り返し押し付けても破損し難く、交換不要で低コストである。また、熱伝導に優れるため、カメラを下面に設置しても短時間で計測可能である。ただし、これに限るものではなく、検査板１４をセラミクス材料で構成してもよい。高強度なセラミクス材料であれば、プローブ３を繰り返し押し付けても破損し難く、交換不要で低コストである。熱伝導に優れたセラミクスを選択することで、カメラを下面に設置しても短時間で計測可能である。
【００４４】
また、検査板１４をＺ方向に熱伝導の方向を規定した熱的異方性を有する熱的異方性材料で構成してもよい。検査板１４の面内の熱の広がりを抑制できるため、プローブ３の先端部の位置計測の高精度化が可能となる。熱的異方性材料としては、例えば、コンポロイド（株式会社サーモグラフィティクスの製品）があるがこれに限るものではない。
【００４５】
また、検査板１４と基体部１７を同一の材料で一体的に構成することでコストを削減することができ、チャックステージ１の側面に容易に設置できる。材料として金属材料を選択した場合は、曲げ加工にて作製可能である。
【００４６】
なお、画像処理部２０及びプローブ位置・温度検査装置１３は、メモリに記憶されたプログラムを実行するＣＰＵ、システムＬＳＩ等の処理回路により実現される。また、複数の処理回路が連携して上記機能を実行してもよい。
【００４７】
また、サーモクロミック材料１５の撮影時の精度を向上させるため、サーモクロミック材料１５に光を照射する照明部を設けることが好ましい。また、撮影時の外乱要素の写りこみを防ぐために、サーモクロミック材料１５の撮影面に反射防止フィルム又は反射防止膜を設けることが好ましい。
【００４８】
実施の形態２．
図６は、本発明の実施の形態２に係る半導体装置の評価装置を示す概略図である。図７は、本発明の実施の形態２に係る検査基板を示す下面図である。
【００４９】
検査板１４は実施の形態１と同様の部材であるが、プローブ３が接触しない検査板１４の裏面側の両サイドに、検査板１４を冷却する冷却器としてペルチェ素子２４が設けられている。ペルチェ素子であれば小型化できる。
【００５０】
また、サーモクロミック材料１５が検査板１４の上面に設けられ、撮影部１６が絶縁基板５に設けられている。プローブ３の先端部が押し付けられた状態を計測するのはプローブ３に遮られ困難なため、プローブ３の離間後に計測を行う。リアルタイムでの検査は不可となるが、配線９，１９を絶縁基板５の近辺にまとめることで、装置全体をコンパクト化できる。
【００５１】
加熱したプローブ３の検査を行う場合は、検査後に検査板１４を冷却するためにペルチェ素子２４を用いる。一方、加熱しない常温のプローブ３の検査を行う場合は、検査前に検査板１４を冷却するためにペルチェ素子２４を用いる。検査前に冷却した検査板１４及びサーモクロミック材料１５に常温のプローブ３が接触すると接触部分の温度が上昇し、サーモクロミック材料１５の表面の温度分布に差が生じる。この場合にはプローブ３の先端部の温度は問題でなく、温度分布の差から位置を検出する。
【００５２】
本実施の形態により、実施の形態１と同様に半導体装置の評価前に複数のプローブ３の先端部の面内位置及び温度を容易に精度よく検査することができる。また、プローブ３を加熱又は冷却する場合だけでなく、常温で評価する場合でも同様の効果を得ることができる。
【００５３】
図８は、本発明の実施の形態２に係る検査基板の変形例を示す下面図である。ペルチェ素子２４の代わりに、検査板１４の両サイドに、検査板１４を加熱するヒータ２５が設けられている。検査前に検査板１４を予め加熱しておくことで、同様に常温でのプローブ３の検査を行うことができる。
【００５４】
なお、ペルチェ素子２４及びヒータ２５は、撮影部１６による色変化画像の取得を遮らなければ、検査板１４の表面と裏面の何れに設置してもよい。それらの設置箇所も両サイドに限らず、色変化画像の取得部分を取り囲むように設置してもよい。また、設置する個数を増やすことで、加熱又は冷却の時間を短縮できる。
【符号の説明】
【００５５】
１  チャックステージ、２  半導体装置、３  プローブ、４  温度調整部、５  絶縁基板、１０  評価・制御部、１４  検査板、１５  サーモクロミック材料、１６  撮影部、２０  画像処理部、２１  保護部材、２２  送風機（冷却器）、２４  ペルチェ素子（冷却器）、２５  ヒータ（加熱器）
【図１】
0006406221.tif 000002
【図２】
0006406221.tif 000003
【図３】
0006406221.tif 000004
【図４】
0006406221.tif 000005
【図５】
0006406221.tif 000006
【図６】
0006406221.tif 000007
【図７】
0006406221.tif 000008
【図８】
0006406221.tif 000009